(57)【要約】【課題】容器本体内に収容する内容物の大きさに関係なく、保冷効果を維持することが可能な保冷容器を提供する。【解決手段】本発明に係る保冷容器１は、開口２ａを具備した容器本体２と、容器本体２の開口２ａを閉塞するように開閉可能に設けられた蓋体３と、容器本体内部に設置される中蓋１０と、を有している。そして、中蓋１０は、袋体１１を有しており、袋体１１を容器本体の内面に圧着することで、高さ方向に変位可能に固定される。【選択図】図１
2012131546.tif 000002
【特許請求の範囲】
【請求項１】
開口を具備した容器本体と、容器本体の開口を閉塞するように開閉可能に設けられた蓋体と、前記容器本体内部に設置される中蓋と、を有する保冷容器であって、
前記中蓋は、外縁に圧着手段を有しており、前記圧着手段を容器本体の内面に圧着することで、高さ方向に変位可能に固定されることを特徴とする保冷容器。
【請求項２】
前記中蓋は、空気を出入可能な袋体で形成されていることを特徴とする請求項１に記載の保冷容器。
【請求項３】
前記中蓋は、合成樹脂製の枠体と、枠体内に設けられて空気を出入可能な袋体と、を有し、前記袋体は、空気を入れた際、前記枠体の外周縁に沿って枠体から露出することを特徴とする請求項１に記載の保冷容器。
【請求項４】
前記中蓋は、断熱性を有する断熱材と、断熱材の外周に空気を出入可能な袋体とを有することを特徴とする請求項１に記載の保冷容器。
【請求項５】
内容物が収容される保冷容器の容器本体の内部に設置可能な中蓋であって、
前記中蓋は、前記容器本体の内部で高さ方向に変位した際、容器本体の内面に対して圧着可能な圧着手段を有することを特徴とする保冷容器用の中蓋。
【発明の詳細な説明】
【技術分野】
【０００１】
本発明は、例えば、魚釣りに携行される保冷容器、及びそのような保冷容器内に設置される中蓋に関する。
【背景技術】
【０００２】
通常、保冷容器（クーラーボックスと称されることもある）は、断熱性を有する容器本体に蓋体を回動自在に装着した構造となっている。このような保冷容器は、容器本体内に氷や保冷剤などを収容することで、容器本体内の保冷効果を一定時間維持することが可能である。また、例えば、特許文献１には、容器本体の内面に段部を形成しておき、段部に保冷剤を有する中蓋の外縁を設置できるようにした保冷容器が開示されている。
【先行技術文献】
【特許文献】
【０００３】
【特許文献１】実開昭５６−９２０７２号
【発明の概要】
【発明が解決しようとする課題】
【０００４】
上記した公知の保冷容器によれば、保冷剤を有する中蓋を設置することで、容器本体内の保冷効果を維持することは可能であるものの、容器本体内の空間に対して内容物が少ない場合、空気の対流が起こってしまい、保冷効果が低下する、という問題がある。
【０００５】
本発明は、上記した問題に着目してなされたものであり、容器本体内に収容する内容物の大きさに関係なく、保冷効果を維持することが可能な保冷容器、そのような保冷容器に用いられる中蓋を提供することを目的とする。
【課題を解決するための手段】
【０００６】
上記した目的を達成するために、本発明に係る保冷容器は、開口を具備した容器本体と、容器本体の開口を閉塞するように開閉可能に設けられた蓋体と、前記容器本体内部に設置される中蓋と、を有する構成であって、前記中蓋は、外縁に圧着手段を有しており、前記圧着手段を容器本体の内面に圧着することで、高さ方向に変位可能に固定されることを特徴とする。
【０００７】
上記した保冷容器は、中蓋が、外縁に設けられた圧着手段によって容器本体の内面に圧着する構成となっており、中蓋の位置を容器本体の高さ方向に沿って変位させ、任意の位置で固定することができる。このため、容器本体内の内容物が少ないときには、中蓋の位置を底側に移動させることで、空気の対流を減らし保冷効果を向上させることが可能となる。
【０００８】
なお、上記した構成の中蓋は、例えば、その外縁側に空気を出入可能な袋体を設けることで、容器本体の内面との間で圧着状態を維持しつつ高さ方向に変位させることが可能である。この場合、中蓋の外縁に設けられる圧着手段については、中蓋全体として空気を出入可能な袋体とすること、或いは、断熱性を有する断熱材の外周（外縁）に空気を出入可能な袋体を設ける構造にすることで断熱性を高めることができ、保冷効果を向上させることが可能となる。
【発明の効果】
【０００９】
本発明の保冷容器、及び中蓋によれば、容器本体内に収容する内容物の大きさに関係なく、保冷効果を維持することが可能となる。
【図面の簡単な説明】
【００１０】
【図１】本発明に係る保冷容器の一実施形態を示す斜視図。
【図２】（ａ）は保冷容器の容器本体内に設置される中蓋の構造を示す斜視図、（ｂ）は図（ａ）のＡ−Ａ線に沿った断面図
【図３】容器本体内に中蓋を設置した状態を示す断面図。
【図４】中蓋の第２の実施形態を示す斜視図。
【図５】（ａ）は中蓋の第３の実施形態を示す斜視図、（ｂ）は図（ａ）のＢ−Ｂ線に沿った断面図。
【発明を実施するための形態】
【００１１】
以下、図面を参照しながら本発明の実施形態について説明する。  
図１から図３は、本発明に係る保冷容器の一実施形態を示しており、図１は保冷容器の斜視図、図２（ａ）は保冷容器の容器本体内に設置される中蓋の構造を示す斜視図、（ｂ）は図（ａ）のＡ−Ａ線に沿った断面図、そして、図３は容器本体内に中蓋を設置した状態を示す断面図である。
【００１２】
図１に示すように、保冷容器１は、内部空間２ａを具備した略直方体形状に成形された容器本体２を備えている。容器本体２は、断熱性を有する素材で構成されており、その上端側には、ヒンジ構造によって容器本体２の開口２ｂを開閉するための蓋体３が回動可能に支持されている。また、容器本体２と蓋体３には、公知のように、蓋体３を閉じた際に両者の間を密にシールするシール部材５、及び開閉ロック機構２Ａ，３Ａなどが設けられている。さらに、容器本体２には、保冷容器１を持ち運びする際に把持される取手２Ｂが回動可能に支持されている。
【００１３】
前記容器本体２の内部空間２ａは、開口幅Ｗ、奥行きＬ、高さＨの所定の大きさを有しており、実際の使用時では、内部空間２ａに保冷性を有する部材、例えば、氷、保冷剤、ドライアイス等が収容される。そして、容器本体２の内部には、以下のような中蓋１０が設置されるようになっている。
【００１４】
中蓋１０は、容器本体２の内部空間２ａに対して、開口２ｂから挿脱できる大きさの矩形状に形成された本体１１を有しており、本体１１は、図３に示すように、容器本体２の内面に圧着（圧接）することで高さ方向に変位して固定できるように構成されている。すなわち、中蓋１０には、容器本体２の内面のいずれの位置にも固定できるように、その外縁に圧着手段が設けられている。
【００１５】
本実施形態では、中蓋１０の本体１１そのものが圧着手段としての機能を備えており、本体１１は、空気を出入可能な袋体で形成されている。本体（袋体）１１は、上面部１２、下面部１３、及び上面部と下面部とを連結する側壁部１４とを備えた略直方体形状となっており、例えば、ポリ塩化ビニル（ＰＶＣ）、合成ゴム、オレフィン系エラストマー、ポリエチレン（ＰＥ）等によって形成されている。
【００１６】
前記本体１１は、その内部が空洞状に形成されており、前記上面部１２に設けられた空気を出入するための出入口１２ａを介して空気を入れることで膨らむようになっている。なお、内部に空気が充填されることにより、本体１１そのものが断熱効果を発揮することが可能となる。
【００１７】
上記したように構成される本体１１については、上面部１２及び下面部１３の肉厚Ｔ１が、側壁部１４の肉厚Ｔ２に対して厚くなるように形成されていることが望ましい。このように形成することで、空気を入れた際、上下方向の変形（伸び）を抑制しつつ、水平方向に均等圧で膨らむことができ、容器本体２の内部空間２ａに設置した際、周囲方向全てに亘って圧着して、その位置を確実に固定することが可能となる。
【００１８】
また、本体１１は、その内部に、多数の空気室（小空間）が生じるように形成されていることが望ましい。例えば、図２（ａ）の斜線で示すように、上面部１２及び下面部１３を、格子状の仕切部１６を介して溶着したり、或いは、上面部１２及び下面部１３を、図２（ａ）の斜線部分で直接格子状に溶着することで、出入口１２ａを介して空気を入れた際、そのような仕切部１６によって本体１１内に多数の空気室１７が生じるようになる。すなわち、このような多数の空気室１７が存在することで、本体１１の内部で空気が対流することが少なくなり、断熱効果を高めることが可能となる。なお、図２（ａ）で示すように、上面部１２と下面部１３との間に仕切部１６を形成する場合、出入口１２ａから空気を注入した際、全ての空気室１７に空気が行き渡るように、仕切部１６には、適所に空気の抜け道が形成されている。
【００１９】
上記した構成の保冷容器によれば、容器本体２内に収容される内容物の大きさによって中蓋１０の位置を変えることができるため、保冷効果を長期に亘って維持することが可能となる。また、上記した中蓋１０は、複数の空気室を具備し、中蓋そのものが断熱効果を有する構造となっているため、保冷効果をより長期に亘って維持することが可能となる。さらに、中蓋１０は、その外縁が容器本体２の内面に圧着する構造であるため、移動時において水漏れを防止することも可能となる。
【００２０】
次に、図４を参照して、中蓋の第２の実施形態について説明する。  
本実施形態の中蓋２０は、合成樹脂製、例えば、ポリアミド、合成ゴム、ポリエチレン等で形成された枠体２１と、枠体２１内に設けられて空気を出入可能な袋体２２とを有している。この場合、袋体２２は、上記した実施形態の本体（袋体）１１と同様な構成を備えており、その上面には、空気を出し入れする出入口２２ａが設けられている。また、枠体２１は、略直方体形状のフレーム構造となっており、前記保冷容器１の容器本体２の内部空間に出し入れできる大きさに形成されている。
【００２１】
前記枠体２１は、略ロの字型の水平フレーム２１ａ，２１ｂと、これらを４隅で連結する縦フレーム２１ｃとを備えており、それぞれの水平フレーム２１ａ，２１ｂは、補強ブリッジ２１ｄが橋設されて格子状に形成されている。そして、このような枠体２１内に設けられた袋体２２に空気を入れると、袋体２２の一部が、枠体２１の外周縁２１ｅに沿って露出できるように構成されている。
【００２２】
このように構成された中蓋２０によれば、袋体２２に空気を入れた際、その一部が枠体２１の外周縁２１ｅから露出して、容器本体２の内面の任意の位置に対して周囲方向全てに亘って圧着し、その位置を確実に固定することが可能となる。そして、このような中蓋２０によれば、枠体２１によって剛性が高まり、変形し難くなって、移動時などの衝撃に対しても中蓋がずれることを防止することが可能となる。  
なお、このような構成では、枠体２１の外周縁から圧着手段である袋体２２が露出して容器本体２の内面に圧着できれば良く、その構造（フレーム構造）については適宜変形することが可能である。
【００２３】
次に、図５（ａ）（ｂ）を参照して、中蓋の第３の実施形態について説明する。  
本実施形態の中蓋３０は、容器本体２の開口の大きさに対応した断熱性を有する断熱材３１を有している。断熱材３１は、例えば、発泡ウレタンフォーム（高密度ウレタンフォーム）、発泡ポリスチレンなどの断熱性を有する材料で形成されており、その外周に、容器本体２の内面に圧着可能な圧着手段を設けた構成となっている。
【００２４】
前記圧着手段は、略矩形の断熱材３１の周囲を囲繞するように取着されたチューブ状の袋体３２によって構成されており、その一部には、空気を出入するための出入口３２ａが設けられている。また、前記袋体３２は、空気を入れることで弾性的に変形できるような素材、例えば、ポリ塩化ビニル（ＰＶＣ）、合成ゴム、発泡ゴム系の断熱材（ＮＢＲ系）等によって形成されている。
【００２５】
このように構成された中蓋３０によれば、出入口３２ａを介して空気を入れると袋体３２が膨出し、容器本体２の内面の任意の位置に対して周囲方向全てに亘って圧着して、その位置を確実に固定することが可能となる。そして、このような中蓋３０によれば、開口を閉塞する断熱材３１を備えていることで保冷効果に優れると共に、剛性が高まることで変形し難くなり、移動時などの衝撃に対しても中蓋がずれることを防止することが可能となる。
【００２６】
以上、本発明の実施形態について説明したが、上記した中蓋については、予め保冷容器と共に販売される形態であっても良いし、容器本体とは別に中蓋単独で販売して、汎用の保冷容器に用いる形態であっても良い。また、本発明では、保冷容器については、特定の構成に限定されるものではない。さらに、中蓋については、開口領域を覆い、その周囲が容器本体の内面に圧着して中蓋の高さ位置を任意に変更できれば、圧着手段の構成についても適宜変形することが可能である。
【符号の説明】
【００２７】
１  保冷容器
２  容器本体
２ａ  内部空間
２ｂ  開口
３  蓋体
１０，２０，３０  中蓋
【図１】
2012131546.tif 000003
【図２】
2012131546.tif 000004
【図３】
2012131546.tif 000005
【図４】
2012131546.tif 000006
【図５】
2012131546.tif 000007